(57)【要約】【課題】蛍光ランプのランプピンをランプソケットの所定位置に容易に装着することのできる照明器具を提供する。【解決手段】蛍光ランプ２０の両端の口金２２を連結するブリッジ２４の側面に当接して、口金２２に設けられているランプピン２３をランプソケット１５の所定位置１５２にガイドするガイド部１７を器具本体１４に設けたので、ブリッジ２４をガイド部１７に接触させることにより、ランプピン２３をランプソケット１５の所定位置１５２に容易に装着することができる。【選択図】図１
2010123536.tif 000002
【特許請求の範囲】
【請求項１】
管中央部を中心として略一平面において渦巻状に旋回する発光管と、前記発光管の両端部にそれぞれ設けられた一対の口金と、前記口金から前記発光管に平行に設けられた一対のランプピンと、前記一対の口金間を連結するブリッジと、を有する蛍光ランプと、
前記ランプピンと電気的に接続されて電力を供給する一対のランプソケットと、
前記ランプソケットが取り付けられる器具本体と、を有し、
前記ブリッジの側面に当接して前記ランプピンを前記ランプソケットの所定位置にガイドするガイド部を前記器具本体に設けたことを特徴とする照明器具。
【請求項２】
前記ガイド部が、前記蛍光ランプの回転を規制する回転規制部を有することを特徴とする請求項１記載の照明器具。
【請求項３】
前記ガイド部が、前記蛍光ランプの中心に対して点対称位置に一対設けられていることを特徴とする請求項１または２記載の照明器具。
【発明の詳細な説明】
【技術分野】
【０００１】
本発明は、平面らせん形状の蛍光ランプを有する照明器具に関するものである。
【背景技術】
【０００２】
従来より、管中央部を中心として略一平面において渦巻状に旋回した蛍光ランプを用いた照明器具が知られている（例えば特許文献１参照）。
この照明器具では、器具本体に設けられた一対のランプソケットに、平面らせん形状の蛍光ランプの両端に設けられている口金から突出している２本のランプピンを挿入して、蛍光ランプを装着する。
そして、蛍光ランプの両口金を連結するブリッジに当接することにより、ランプピンがランプソケットから脱落する方向へ蛍光ランプが回転するのを規制する移動規制片を器具本体に設けた。
【特許文献１】特開２００８−２４３６２８号公報
【発明の開示】
【発明が解決しようとする課題】
【０００３】
しかしながら、前述したような照明器具においては、装着後の蛍光ランプのランプピンがランプソケットから脱落する方向への移動を規制することができるものの、蛍光ランプを装着する際に、蛍光ランプが移動規制片に乗り上げるおそれがあった。このような場合には、ランプピンがランプソケットの所定位置に挿入されず、蛍光ランプが適正に装着されないおそれがあるという問題があった。
【０００４】
本発明は、従来の問題を解決するためになされたもので、蛍光ランプのランプピンをランプソケットの所定位置に容易に装着することのできる照明器具を提供することを目的とする。
【課題を解決するための手段】
【０００５】
本発明の照明器具は、管中央部を中心として略一平面において渦巻状に旋回する発光管と、前記発光管の両端部にそれぞれ設けられた一対の口金と、前記口金から前記発光管に平行に設けられた一対のランプピンと、前記一対の口金間を連結するブリッジと、を有する蛍光ランプと、前記ランプピンと電気的に接続されて電力を供給する一対のランプソケットと、前記ランプソケットが取り付けられる器具本体と、を有し、前記ブリッジの側面に当接して前記ランプピンを前記ランプソケットの所定位置にガイドするガイド部を前記器具本体に設けた構成を有している。
【０００６】
この構成により、蛍光ランプの両端の口金を連結するブリッジの側面に当接して、口金に設けられているランプピンをランプソケットの所定位置にガイドするガイド部を器具本体に設けたので、蛍光ランプの装着の際にブリッジをガイド部に接触させることにより、ランプピンをランプソケットの所定位置に容易に装着することができる。
【０００７】
また、本発明の照明器具は、前記ガイド部が、前記蛍光ランプの回転を規制する回転規制部を有する構成を有している。
【０００８】
この構成により、ガイド部に沿ってランプソケットに装着された蛍光ランプは、ガイド部に設けられている回転規制部により回転が規制されるので、ランプピンがランプソケットから脱落するのを確実に防止することができる。
【０００９】
さらに、本発明の照明器具は、前記ガイド部が、前記蛍光ランプの中心に対して点対称位置に一対設けられた構成を有している。
【００１０】
この構成により、ガイド部が蛍光ランプの中心に対して点対称位置に一対設けられているので、両端の口金のランプピンをランプソケットの所定位置に確実にガイドすることができる。また、両口金のランプピンがランプソケットから脱落するのを、確実に防止することができる。
【発明の効果】
【００１１】
本発明は、蛍光ランプの両端の口金を連結するブリッジの側面に当接して、口金に設けられているランプピンをランプソケットの所定位置にガイドするガイド部を器具本体に設けたので、蛍光ランプを装着する際にブリッジをガイド部に接触させることにより、ランプピンをランプソケットの所定位置に容易に装着することができるという効果を有する照明器具を提供することができるものである。
【発明を実施するための最良の形態】
【００１２】
以下、本発明の実施の形態の照明器具について、図面を用いて説明する。
図１は本発明の第１実施形態にかかる照明器具の斜視図、図２（Ａ）は蛍光灯の平面図、図２（Ｂ）は蛍光ランプの側面図、図３はランプソケットの斜視図、図４は器具本体の斜視図、図５はガイド部とブリッジとの関係を示す側面図である。なお、各図においては、図示の都合上、取付後の下側を上にして図示している。
【００１３】
図１に示すように、本発明にかかる照明器具１０は、被取付部としての例えば天井１１に取り付けられる円板状のベースプレート１２と、このベースプレート１２の下面１２１に取り付けられる本体ケース１３とで器具本体１４を構成し、器具本体１４に平面らせん形蛍光ランプ（以後、「蛍光ランプ」という。）２０が装着される。ベースプレート１２には、平面らせん形蛍光ランプ２０を内包する透明または半透明の樹脂性の透過カバー（図示省略）が着脱可能に取り付けられる。
【００１４】
本体ケース１３は、例えば、板金加工により底板１３１と一対の側板１３２とから全体コ字状に形成されており、底板１３１の下面は例えば白く塗装されて、蛍光ランプ２０の光を前方（照明方向）へ反射させる反射板を兼ねている。
底板１３１の下面には一対のランプソケット１５，１５が設けられている。底板１３１の下面のランプソケット１５の近傍には、口金２２を保持して蛍光ランプ２０を仮固定するための一対のランプ保持バネ１６、１６が設けられている。
なお、本体ケース１３の内部には点灯装置（図示省略）等の電気部品がが収納されており、ランプソケット１５と電気的に接続されている。
【００１５】
図２に示すように、蛍光ランプ２０は、一連の屈曲ガラス管からなる発光管２１が、管中央部２１１を中心として略一平面上で渦巻状に旋回された二重渦巻き形状となっている。発光管２１の両端部には口金２２が設けられており、口金２２には上下一対のランプピン２３，２３が、突出して設けられている。このランプピン２３をランプソケット１５に装着することにより、駆動電力を得ることができる。
両口金２２、２２間には、発光管２１を保持するブリッジ２４が設けられている。ブリッジ２４は、口金２２の近傍を把持する円環状の把持部２４１と、両把持部２４１を連結するブリッジ本体２４２を有している。
【００１６】
このような平面らせん形の蛍光ランプ２０は面状に発光するので、一重あるいは二重の環状の蛍光ランプと比較して中央部まで一様な光を得ることができる。また、同じ長さの発光管を有する環状の蛍光ランプと比較して、小型化を図ることができる。
【００１７】
図３に示すように、ランプソケット１５は、全体円板形状を呈しており、円形の側面１５１が蛍光ランプ２０の口金２２の先端面と対向するように、本体ケース１３の下面１３１に取り付けられる。ランプソケット１５の側面１５１側には、外周面の下端部から中央部を超えてランプピン挿入溝１５２が凹設されており、ランプピン挿入溝１５２の内部には導電板１５３が設けられている。ランプピン挿入溝１５２の幅は、ランプピン２３の外径よりも大きく、ランプピン２３が挿嵌可能となっている。
従って、蛍光ランプ２０の一対のランプピン２３を上下方向にランプピン挿入溝１５２に挿入し、操作部１５４を操作することにより、ランプピン２３が導電板１５３と導通するとともに、蓋を閉じて脱落を防止する。
【００１８】
図４および図５に示すように、本体ケース１３の底板１３１には、ガイド部１７が切起しにより下方へ突出して設けられている。このガイド部１７は、蛍光ランプ２０のブリッジ本体２４２の側面に当接して、ランプピン２３をランプソケット１５の所定位置であるランプピン挿入溝１５２にガイドする。
ガイド部１７は一対設けられており、蛍光ランプ２０の中心に対して点対称位置に設けられている。
また、図５に示すように、ガイド部１７は、先端部の傾斜部１７１と、傾斜部１７１に続く回転規制部である垂直部１７２を有する。
【００１９】
従って、蛍光ランプ２０をランプソケット１５に装着する際には、蛍光ランプ２０のブリッジ２４をガイド部１７の傾斜部１７１に当接させ、傾斜部１７１に沿って上昇させることにより、ランプピン２３はランプソケット１５のランプピン挿入溝１５２にガイドされる。蛍光ランプ２０の装着後は、ガイド部１７の垂直部１７２がブリッジ２４の本体２４２の側面に当接して、蛍光ランプ２０の回転を規制する。
【００２０】
以上、説明した本発明の実施形態にかかる照明器具１０によれば、蛍光ランプ２０の両端の口金２２を連結するブリッジ２４の側面に当接して、口金２２に設けられているランプピン２３をランプソケット１５のランプピン挿入溝１５２にガイドするガイド部１７を本体ケース１３に設けたので、ブリッジ２４をガイド部１７の傾斜部１７１に接触させることにより、ランプピン２３をランプソケット１５にガイドして容易に装着することができる。
【００２１】
また、ガイド部１７の傾斜部１７１に沿ってランプソケット１５に装着された蛍光ランプ２０は、ガイド部１７に設けられている垂直部１７２により回転が規制されるので、ランプピン２３がランプソケット１５から脱落するのを防止することができる。
【００２２】
また、ガイド部１７が蛍光ランプ２０の中心に対して点対称位置に一対設けられているので、両端の口金２２のランプピン２３をランプソケット１５の所定位置に確実にガイドすることができる。また、両口金２２のランプピン２３がランプソケット１５から脱落するのを、確実に防止することができる。さらに、ガイド部１７を２個設けたので、各ガイド部１７の小型化を図ることができる。
【００２３】
また、ガイド部１７の先端に傾斜部１７１を設けたので、ブリッジ２４が傾斜部１７１に乗り上げると、傾斜に沿って移動する。このため、ブリッジ２４がガイド部１７に乗り上げるのを防止することができる。
【００２４】
なお、本発明の照明器具は、前述した実施形態に限定されるものでなく、適宜な変形，改良等が可能である。例えば、前述した本体ケース１３は、板金加工により形成したが、この他、樹脂や、アルミダイカスト等でも同様に形成することができる。
また、ガイド部１７は切起しに限らず、別部品を本体ケース１３に取り付けるようにすることもできる。
【図面の簡単な説明】
【００２５】
【図１】本発明の第１実施形態にかかる照明器具の斜視図
【図２】（Ａ）は蛍光灯の平面図、（Ｂ）は蛍光ランプの側面図
【図３】ランプソケットの斜視図
【図４】器具本体の斜視図
【図５】ガイド部とブリッジとの関係を示す側面図
【符号の説明】
【００２６】
１０  照明器具
１４  器具本体
１５  ランプソケット
１７  ガイド部
１７２  垂直部（回転規制部）
２０  蛍光ランプ
２１  発光管
２１１  管中央部
２２  口金
２３  ランプピン
２４  ブリッジ
【図１】
2010123536.tif 000003
【図２】
2010123536.tif 000004
【図３】
2010123536.tif 000005
【図４】
2010123536.tif 000006
【図５】
2010123536.tif 000007